(57)【特許請求の範囲】
【請求項１】
自装置の外装の一部分を構成し、自装置に対して装着又は取り外しされ、記録媒体を収容する第１の収容部と、
前記第１の収容部に対応して設けられ、当該第１の収容部に収容されている記録媒体を搬送する第１搬送部と、
記録媒体を収容する第２の収容部と、
前記第２の収容部に対応して設けられ、当該第２の収容部に収容されている記録媒体を搬送する第２搬送部と、
前記第２の収容部に対応して設けられ、前記第１の収容部が取り外された状態において、当該取り外された第１の収容部により形成された空間を通じて使用者に開閉され、開けられた状態において前記第２搬送部の少なくとも一部を当該使用者に操作可能に露出させる部品と、
前記第１の収容部が取り外され、かつ、前記部品が閉じられている場合に前記第２搬送部を駆動し、前記第１の収容部が取り外され、かつ、前記部品が開けられた場合に前記第２搬送部の少なくとも一部が駆動されることを妨げるように制御する駆動制御手段と
を備えることを特徴とする搬送装置。
【請求項２】
前記部品が、前記第１の収容部が取り外されることにより生じる開口部から入射する光を当該開口部に向けて反射する反射部を有する
ことを特徴とする請求項１に記載の搬送装置。
【請求項３】
前記部品が、前記使用者が指を差し込むための差込口を有し、前記反射部が当該差込口に設けられている
ことを特徴とする請求項２に記載の搬送装置。
【請求項４】
前記第１の収容部が、決められた方向に移動することにより装着又は取り外しされ、
前記部品が、前記決められた方向と同じ方向に移動することにより開閉される
ことを特徴とする請求項１ないし３のいずれかに記載の搬送装置。
【請求項５】
請求項１ないし４のいずれかに記載の搬送装置と、
前記搬送装置により搬送された被搬送物に画像を形成する画像形成手段と
を備えることを特徴とする画像形成装置。
【請求項６】
前記第１の収容部および前記第２の収容部を含む複数の収容部の中から選択された一の収容部から搬送された記録媒体に画像を形成する画像形成部を有し、
前記駆動制御手段は、前記第１の収容部が取り外され、かつ、当該第１の収容部が選択されている場合に、前記第１搬送部の少なくとも一部が駆動されることを妨げるように制御する
ことを特徴とする請求項１に記載の搬送装置。
【請求項７】
前記駆動制御手段は、前記第２の収容部が選択されている場合において、前記第１の収容部が取り外され、かつ前記部品が開けられたときに、前記第２搬送部の少なくとも一部が駆動されることを妨げるように制御する
ことを特徴とする請求項６に記載の搬送装置。
【請求項８】
自装置の外装の一部分を構成し、自装置に対して装着又は取り外され、記録媒体を収容する第１の収容部と、
前記第１の収容部に対応して設けられ、当該第１の収容部に収容されている記録媒体を搬送する第１搬送部と、
記録媒体を収容する第２の収容部と、
前記第２の収容部に対応して設けられ、当該第２の収容部に収容されている記録媒体を搬送する第２搬送部と、
前記第２の収容部に対応して設けられ、前記第１の収容部が取り外された状態において、当該取り外された第１の収容部により形成された空間を通じて使用者に開閉され、開けられた状態において前記第２搬送部の少なくとも一部を当該使用者に操作可能に露出させる部品と、
前記第１の収容部が取り外され、かつ、前記部品が閉じられている場合に前記第２搬送部を駆動し、前記第１の収容部が取り外され、かつ、前記部品が開けられた場合に前記第２搬送部の少なくとも一部が駆動されることを妨げるように制御する駆動制御手段と
を備えることを特徴とする搬送システム。
【発明の詳細な説明】
【技術分野】
【０００１】
本発明は、搬送装置、画像形成装置及び搬送システムに関する。
【背景技術】
【０００２】
例えば、画像形成装置には、用紙を供給する手段を複数備えるものがある（例えば、特許文献１参照）。また、特許文献２には、いずれかのシート供給ユニットが抜かれた場合においても、他のシート供給ユニットによって画像が形成可能な画像形成装置が記載されている。
【先行技術文献】
【特許文献】
【０００３】
【特許文献１】特開平５−７４０号公報
【特許文献２】特開２００４−１９１５３３号公報
【発明の開示】
【発明が解決しようとする課題】
【０００４】
本発明は、被搬送物の搬送が停止してしまうという状況を少なくすることを目的とする。
【課題を解決するための手段】
【０００５】
本発明の請求項１に係る搬送装置は、自装置の外装の一部分を構成し、自装置に対して装着又は取り外しされ、記録媒体を収容する第１の収容部と、前記第１の収容部に対応して設けられ、当該第１の収容部に収容されている記録媒体を搬送する第１搬送部と、記録媒体を収容する第２の収容部と、前記第２の収容部に対応して設けられ、当該第２の収容部に収容されている記録媒体を搬送する第２搬送部と、前記第２の収容部に対応して設けられ、前記第１の収容部が取り外された状態において、当該取り外された第１の収容部により形成された空間を通じて使用者に開閉され、開けられた状態において前記第２搬送部の少なくとも一部を当該使用者に操作可能に露出させる部品と、前記第１の収容部が取り外され、かつ、前記部品が閉じられている場合に前記第２搬送部を駆動し、前記第１の収容部が取り外され、かつ、前記部品が開けられた場合に前記第２搬送部の少なくとも一部が駆動されることを妨げるように制御する駆動制御手段とを備える構成を有するものである。
【０００６】
本発明の請求項２に係る搬送装置は、請求項１に記載の構成において、前記部品が、前記第１の収容部が取り外されることにより生じる開口部から入射する光を当該開口部に向けて反射する反射部を有するものである。
本発明の請求項３に係る搬送装置は、請求項２に記載の構成において、前記部品が、前記使用者が指を差し込むための差込口を有し、前記反射部が当該差込口に設けられている構成を有するものである。
本発明の請求項４に係る搬送装置は、請求項１ないし３のいずれかに記載の構成において、前記第１の収容部が、決められた方向に移動することにより装着又は取り外しされ、前記部品が、前記決められた方向と同じ方向に移動することにより開閉される構成を有するものである。
【０００７】
本発明の請求項５に係る画像形成装置は、請求項１ないし４のいずれかに記載の搬送装置と、前記搬送装置により搬送された被搬送物に画像を形成する画像形成手段とを備える構成を有するものである。
本発明の請求項６に係る搬送装置は、請求項１に記載の構成において、前記第１の収容部および前記第２の収容部を含む複数の収容部の中から選択された一の収容部から搬送された記録媒体に画像を形成する画像形成部を有し、前記駆動制御手段は、前記第１の収容部が取り外され、かつ、当該第１の収容部が選択されている場合に、前記第１搬送部の少なくとも一部が駆動されることを妨げるように制御する構成を有するものである。
本発明の請求項７に係る搬送装置は、請求項６に記載の構成において、前記駆動制御手段は、前記第２の収容部が選択されている場合において、前記第１の収容部が取り外され、かつ前記部品が開けられたときに、前記第２搬送部の少なくとも一部が駆動されることを妨げるように制御する構成を有するものである。
本発明の請求項８に係る搬送システムは、自装置の外装の一部分を構成し、自装置に対して装着又は取り外され、記録媒体を収容する第１の収容部と、前記第１の収容部に対応して設けられ、当該第１の収容部に収容されている記録媒体を搬送する第１搬送部と、記録媒体を収容する第２の収容部と、前記第２の収容部に対応して設けられ、当該第２の収容部に収容されている記録媒体を搬送する第２搬送部と、前記第２の収容部に対応して設けられ、前記第１の収容部が取り外された状態において、当該取り外された第１の収容部により形成された空間を通じて使用者に開閉され、開けられた状態において前記第２搬送部の少なくとも一部を当該使用者に操作可能に露出させる部品と、前記第１の収容部が取り外され、かつ、前記部品が閉じられている場合に前記第２搬送部を駆動し、前記第１の収容部が取り外され、かつ、前記部品が開けられた場合に前記第２搬送部の少なくとも一部が駆動されることを妨げるように制御する駆動制御手段とを備える構成を有するものである。
【発明の効果】
【０００８】
本発明の請求項１、５、６〜８に記載の構成によれば、部品及び駆動制御手段を有しない場合に比べ、記録媒体の搬送が停止してしまうという状況を少なくすることが可能である。
本発明の請求項２に記載の構成によれば、反射部を有しない場合に比べ、使用者が部品の位置を確認し易くすることが可能である。
本発明の請求項３に記載の構成によれば、差込口に反射部が設けられていない場合に比べ、使用者が部品を開閉する作業をより容易に行えるようにすることが可能である。
本発明の請求項４に記載の構成によれば、部品が第１の収容部の移動方向と異なる方向に移動する場合に比べ、第１の収容部が取り外されたことにより形成された空間が小さくても、可動部の交換等の作業を容易に行うことが可能である。
【図面の簡単な説明】
【０００９】
【図１】画像形成システムの構成を示す図
【図２】第２ユニット及び第３ユニットの構成をより詳細に示す図
【図３】第２ユニットを示す図
【図４】第３ユニットを示す図
【図５】反射部を差込口の一部に有するカバーの構成を例示する三面図
【図６】カバーの他の例を示す三面図
【図７】カバーが開閉される状態を対比して示す図
【図８】画像形成システムの制御に係る構成を示すブロック図
【図９】画像形成システム実行する処理を示すフローチャート
【発明を実施するための形態】
【００１０】
［実施形態］
図１は、本発明の一実施形態である画像形成システムの構成を示す図である。同図に示すように、本実施形態の画像形成システム１０は、第１ユニット１００と、第２ユニット２００と、第３ユニット３００とを備える。なお、画像形成システム１０は、各ユニットが別体に、すなわち着脱可能に構成されてもよいが、一体に構成されてもよい。
【００１１】
本実施形態の画像形成システム１０は、あらかじめ決められたサイズの用紙を被搬送物として用いる。ここにおいて、用紙とは、色材（トナー等）により画像が形成されるシート状の媒体をいうものであるが、いわゆる紙に限定されるものではなく、シート状の樹脂などを含むものである。用紙のサイズ（すなわち寸法）や単位面積当たりの重量（いわゆる坪量）は、複数の種類があってもよいが、本実施形態においては、すべての収容部に同じ種類の用紙が収容されているものとする。
【００１２】
なお、以下においては、説明の便宜上、図１中の矢印Ａ１の方向を「上方」といい、矢印Ａ２の方向を「下方」という。また、図１中の矢印Ｂ１の方向を「前方」といい、矢印Ｂ２の方向を「後方」という。ここにおいて、前方とは、使用者が操作するときにいる側をいうものであり、後方とは、前方の反対側をいうものである。ただし、本発明に係る各装置は、このような向きや並びで使用されるものに限定されず、例えば、図１に示す構成を９０°傾け、各ユニットが前後方向に並ぶ向きで使用されてもよいものである。
また、以下においては、各部の上方側の面を「上面」、下方側の面を「下面」、前方側の面を「前面」、後方側の面を「後面」ともいう。
【００１３】
第１ユニット１００は、後述する画像形成部１１０と、用紙供給部１２０及び１３０とを備える。画像形成部１１０は、本発明に係る画像形成手段の一例であり、本実施形態においては、電子写真方式の画像形成手段である。画像形成部１１０は、感光体ドラム１１１、露光装置１１２、現像器１１３、転写ロール１１４及び定着器１１５を備え、感光体ドラム１１１に形成されたトナー像を用紙に転写し、トナー像を定着させて画像を形成する。なお、画像形成部１１０は、ここでは単色の画像形成手段であるが、複数色のトナーを用いて画像を形成してもよい。
【００１４】
用紙供給部１２０及び１３０は、用紙を搬送する手段である。用紙供給部１２０及び１３０は、用紙を収容し、図示せぬ駆動手段（モータ等）により動力を与えられて、収容した用紙を必要に応じて供給する。用紙供給部１２０（１３０）は、複数の用紙を収容する収容部１２１（１３１）と、収容された用紙のうちの上側の用紙から１枚ずつ送り出す供給ロール１２２（１３２）と、送り出された用紙を捌いて１枚にして搬送路（図中の破線）に搬送させる搬送ロール１２３及び１２４（１３３及び１３４）とを備える。用紙供給部１２０と用紙供給部１３０とは、用紙の搬送に係る構成については共通であるが、収容する用紙のサイズや枚数などは異なっていてもよい。なお、用紙の搬送路には、複数の搬送ロールが適当な位置に設けられている。
【００１５】
第２ユニット２００及び第３ユニット３００は、本発明に係る搬送装置の一例である。第２ユニット２００及び第３ユニット３００は、それぞれが別体の搬送装置であるとみなされてもよいし、これらが組み合わされて単一の搬送装置を構成するとみなされてもよい。第２ユニット２００（第３ユニット３００）は、収容部２１０（３１０）と、供給ロール２２０（３２０）と、搬送ロール２３０及び２４０（３３０及び３４０）とを備える。これらの構成要素は、用紙供給部１２０及び１３０が有する同名の構成要素と共通する機能を少なくとも備える。すなわち、これらの構成要素は、いずれも、動力を与えられて用紙の搬送に係る動作をする可動部に相当するものである。
【００１６】
図２は、第２ユニット２００及び第３ユニット３００の構成をより詳細に示す図である。収容部２１０は、用紙を上下動させるリフト２１１を備える。リフト２１１は、動力を与えられることにより、収容部２１０に収容された用紙のうちの最も上方にあるものが供給ロール２２０と適当な圧力で接するようにその位置を変化させる。このようにリフト２１１を上昇させる動作のことを、以下においては「リフトアップ」という。リフト２１１は、リフトアップの動作を、用紙の残量に応じて行う。そのため、リフト２１１には、用紙の残量を重量などによって検知するセンサが設けられている。
【００１７】
また、収容部２１０は、第２ユニット２００に対して取り外しされる構成の部品である。なお、第２ユニット２００は、複数の部品が組み合わされた集合体である。収容部２１０は、図１に示す状態が装着された状態であり、図２に示す状態が取り外された状態である。すなわち、収容部２１０は、前方に移動される（引き出される）ことによって取り外され、後方に移動される（押し込まれる）ことによって装着される。収容部２１０は、本発明に係る第１の部品の一例である。
【００１８】
第２ユニット２００は、収容部２１０を収容する空間を有し、収容部２１０が取り外された状態になると、この空間に使用者が手を入れることを許容する状態になる。なお、使用者は、収容部２１０が装着された状態においては、この空間に手を入れることができない。この空間は、第２ユニット２００の前方において開口している。以下においては、この開口のことを開口部の一例として「開口部２００ａ」という。収容部２１０は、装着された状態においては、開口部２００ａを塞ぐ機能を有する。この機能は、収容部２１０が第２ユニット２００の外装の一部を構成することによって実現されている。つまり、第２ユニット２００は、収容部２１０が取り外されることによって外装の一部を失い、収容部２１０を収容する空間を露出させる。
【００１９】
また、第２ユニット２００は、下面に開口部２００ｂを有する。開口部２００ｂは、後述するカバー３５０と重なる位置に設けられている。
図３は、第２ユニット２００の下面を上方側から示す図である。開口部２００ｂは、カバー３５０を開閉する動作を許容する程度に開口している。開口部２００ｂのサイズは、カバー３５０の開閉を許容するものであれば、カバー３５０のサイズより小さくてもよい。なお、第２ユニット２００の下面は、使用者によるカバー３５０の視認を容易ならしめるように、凹凸が少ないことが望ましい。
【００２０】
第３ユニット３００の収容部３１０は、リフト３１１を備える。リフト３１１の機能は、リフト２１１の機能と共通する。すなわち、リフト３１１も、本発明に係る可動部の一例に相当するものである。なお、収容部３１０は、それ自体が引き出されることによって用紙が補充されるものであってもよいし、第３ユニット３００の前面の外装を開閉する扉によって構成し、この扉を開けることによって用紙が補充されるものであってもよい。
【００２１】
また、第３ユニット３００は、上面にカバー３５０を備える。カバー３５０は、使用者によって開閉される板状の部材であり、供給ロール３２０又は搬送ロール３３０及び３４０の上方に設けられている。カバー３５０は、本発明に係る第２の部品の一例である。
本実施形態において、供給ロール３２０、搬送ロール３３０及び３４０は、用紙の搬送によって磨耗する消耗品であり、適当な時期に交換を要するものである。消耗品の交換は、使用者によって行われる。なお、ここでいう使用者は、画像形成システム１０を用いて画像を形成する者であってもよいし、画像形成システム１０の修理や消耗品の交換などを行う専門の業者（いわゆるサービスマン）であってもよい。
【００２２】
図４は、第３ユニット３００の上面側の構成を示す図であり、カバー３５０及びその周辺の構成を示す図である。第３ユニット３００は、カバー３５０と、カバー３５０を支持する支持部材３６０とを備える。支持部材３６０は、その一部がカバー３５０の上面を覆うように設けられており、カバー３５０の上方又は下方への移動を制限している。また、支持部材３６０は、ノッチ３６１及び３６２を有する。ノッチ３６１及び３６２は、カバー３５０の移動の目安として設けられた切り込みである。なお、ノッチ３６１及び３６２は、使用者の目安となれば足りるため、印刷された画像などをシール等で貼り付けるものに代替されてもよい。
【００２３】
カバー３５０は、マーク３５１及び３５２と、差込口３５３と、遮光部３５４とを備える。マーク３５１及び３５２は、カバー３５０の移動の目安であり、支持部材３６０のノッチ３６１及び３６２に対応する位置に設けられる。マーク３５１及び３５２は、例えば、カバー３５０に設けられた孔部、すなわち開口部であるが、印刷された画像などをシール等で貼り付けるものであってもよい。差込口３５３は、使用者が指を差し込むために設けられた開口部である。差込口３５３は、ここでは指が４本入る程度の形状のものであるが、指が１本入る程度の円形の開口部であってもよい。ただし、差込口３５３は、そこから供給ロール３２０、搬送ロール３３０又は３４０に指が届かない程度に小さいサイズであるか、供給ロール３２０、搬送ロール３３０又は３４０から離れた位置に設けられていて指が届かないように構成されている必要がある。遮光部３５４は、後述する第２センサ３７０が照射する光を遮る手段として機能する。遮光部３５４は、本実施形態においては、カバー３５０の一部を切削して折り曲げた部位である。なお、本実施形態の遮光部３５４に代えて、これと同等の機能を有する部材をカバー３５０に取り付けてもよい。
【００２４】
なお、カバー３５０は、開口部２００ａから入射する光を開口部２００ａに向けて反射する反射部を有する構成であると、望ましい。この反射部は、差込口３５３の一部に設けられていると、より望ましい。
図５は、反射部を差込口３５３の一部に有するカバー３５０の構成を例示する三面図である。同図に示す差込口３５３は、反射部３５３ａが曲げ加工により形成されるものである。反射部３５３ａは、図中の矢印Ｌ１が示す方向から入射した光を反射する。すなわち、反射部３５３ａは、開口部２００ａから光が入射されれば、開口部２００ａに向けて光を反射する。反射部３５３ａは、使用者による差込口３５３の位置の確認を容易にする。なお、反射部３５３ａは、差込口３５３の前方側又は後方側のいずれに設けられてもよい。また、カバー３５０は、曲げ加工により形成された反射部３５３ａに代えて、図６に示すように、入射した光を反射しやすいシールやフィルム等の反射部３５３ｂを開口部２００ａの周りの少なくとも一部に貼り付けたり、カバー３５０を厚みのある金属で形成し、当該カバー３５０の開口部２００ａにおける厚み方向の面を、入射した光を反射する反射部３５３ｃとして機能させてもよい。反射部３５３ｃは、金属光沢を有していると、より望ましい。
【００２５】
カバー３５０は、開けられた状態において、供給ロール３２０、搬送ロール３３０及び３４０を使用者に操作可能に露出させる。ここでいう操作は、例えば、供給ロール３２０、搬送ロール３３０又は３４０を交換又は清掃する操作である。また、ここでいう操作は、供給ロール３２０、搬送ロール３３０又は３４０において用紙が詰まったりした場合にあっては、詰まった用紙を取り除く操作であってもよい。
【００２６】
図７は、カバー３５０が開閉される状態を対比して示す図であり、図７（ａ）が閉じられた状態、図７（ｂ）が開けられた状態である。カバー３５０は、図７（ａ）に示す位置にあると、ノッチ３６１とマーク３５１とが向かい合うとともに、ノッチ３６２とマーク３５２とが向かい合う状態になる。この状態のとき、供給ロール３２０、搬送ロール３３０及び３４０は、操作可能な程度には露出しない。なお、供給ロール３２０、搬送ロール３３０及び３４０は、その一部が差込口３５３から見える状態になってもよいが、差込口３５３から見えたとしても、上述した交換等の操作が可能な状態にはならない。また、カバー３５０は、図７（ｂ）に示す位置にあると、ノッチ３６２とマーク３５１とが向かい合う状態になる。この状態のとき、供給ロール３２０、搬送ロール３３０及び３４０は、操作可能な程度に露出する。
【００２７】
図８は、画像形成システム１０の制御に係る構成を示すブロック図である。画像形成システム１０は、上述した画像形成部１１０、用紙供給部１２０、用紙供給部１３０、第２ユニット２００及び第３ユニット３００に加え、取得部１４０と、制御部１５０と、第１センサ２５０と、第２センサ３７０とを備える。なお、取得部１４０及び制御部１５０は、第１ユニット１００、第２ユニット２００及び第３ユニット３００のいずれに設けられていてもよいものである。
【００２８】
取得部１４０は、画像形成に係る命令を取得する。取得部１４０は、画像形成システム１０に設けられたボタン等の操作子を介し、又は、外部装置と接続された通信手段を介して命令を取得する。取得部１４０が取得する命令には、使用する用紙に関するデータや、形成する画像を表す画像データが含まれる。制御部１５０は、ＣＰＵ（Central Processing Unit）等の演算処理装置やメモリを備え、あらかじめ記憶されたプログラムに応じた処理を実行することによって画像形成システム１０の各部の動作を制御する。制御部１５０は、取得部１４０により取得された命令に応じて、画像を形成する用紙の選択などを行う。制御部１５０は、本発明に係る駆動制御手段の一例である。
【００２９】
第１センサ２５０は、第２ユニット２００の収容部２１０（すなわち、第１の部品）が取り外されたことを検知する検知手段である。第１センサ２５０は、検知の対象物の位置を物理量によって検知する。ここでいう物理量は、例えば、光の反射率、圧力、電流などである。第２センサ３７０は、第３ユニット３００のカバー３５０の状態を検知する検知手段である。本実施形態において、第２センサ３７０は、光を照射する照射部と、照射された光を検知する検知部とを備え、遮光部３５４が光を遮る状態にあるか否かによって、カバー３５０が開いている状態と閉じている状態のいずれであるかを検知する。第１センサ２５０及び第２センサ３７０による検知結果は、制御部１５０にデータとして供給される。
【００３０】
本実施形態の画像形成システム１０の構成は、以上のとおりである。この構成のもと、画像形成システム１０は、収容された用紙のいずれかを用いて画像を形成する。画像形成システム１０は、画像を形成するときに、各部の駆動を制御し、必要な部分が動作し、その他の部分が動作しないようにする。画像形成システム１０は、具体的には、以下の処理を実行する。
【００３１】
図９は、画像形成システム１０の制御部１５０が画像を形成するときに実行する処理を示すフローチャートである。なお、同図に示す処理は、複数の用紙が繰り返し搬送され、画像が繰り返し形成されている場合を想定したものである。また、画像形成システム１０の初期の状態は、収容部２１０が装着され、カバー３５０が閉じられた状態であるとする。
【００３２】
制御部１５０は、画像を形成するときに、まず、用紙を供給する収容部を選択する（ステップＳ１）。ここで選択される収容部は、収容部１２１、１３１、２１０及び３１０のいずれかである。続いて、制御部１５０は、ステップＳ１において選択した収容部に用紙を搬送させ、画像形成部１１０に画像を形成させる（ステップＳ２）。
なお、ステップＳ１において、制御部１５０は、選択したか否かによらず、すべての収容部についてリフトアップを行っておいてもよい。
【００３３】
制御部１５０は、画像の形成中に、第１センサ２５０から供給されるデータに基づき、収容部２１０が取り外されたか否かを判断する（ステップＳ３）。制御部１５０は、収容部２１０が装着されたままであれば、画像を形成する動作を続ける。一方、収容部２１０が取り外された場合には、制御部１５０は、ステップＳ１において選択した収容部が収容部２１０であるか否かを判断する（ステップＳ４）。すなわち、このとき制御部１５０は、収容部２１０が用紙の搬送に係る動作を行っているかどうかを判断する。ここにおいて、収容部２１０が選択されている場合、すなわち収容部２１０が用紙を搬送している場合には、制御部１５０は、収容部２１０に用紙の搬送を停止させ、また、画像形成部１１０に画像の形成を停止させる（ステップＳ５）。ここにおいて、用紙の搬送を停止させる動作は、供給ロール２２０、搬送ロール２３０及び２４０を停止させるとともに、リフト２１１を上昇しないようにさせる動作である。また、リフト２１１を上昇しないようにさせる動作には、リフト２１１が移動しないように停止させる場合と、リフト２１１を下降させる場合とが含まれる。
【００３４】
一方、収容部２１０が選択されていない場合には、制御部１５０は、第２センサ３７０から供給されるデータに基づき、カバー３５０が開けられたか否かを判断する（ステップＳ６）。制御部１５０は、カバー３５０が閉じられたままであれば、画像を形成する動作を続ける。ここで、カバー３５０が開けられた場合には、制御部１５０は、ステップＳ１において選択した収容部が収容部３１０であるか否かを判断する（ステップＳ７）。
【００３５】
収容部３１０が選択されている場合、制御部１５０は、収容部３１０に用紙の搬送を停止させ、また、画像形成部１１０に画像の形成を停止させる（ステップＳ８）。一方、収容部３１０が選択されていない場合、制御部１５０は、画像の形成を停止させずに続行する（ステップＳ９）。このとき、制御部１５０は、収容部３１０についてリフトアップが行われていれば、リフト３１１を下降させる。
【００３６】
ここにおいて、画像の形成を停止させる動作や、リフト３１１を下降させる動作は、いずれも、可動部の駆動を妨げる動作の一例である。例えば、リフト３１１を下降させる動作は、用紙の搬送に必要な動作（リフトアップ）とは反対の作用を及ぼすものであるから、リフト３１１による搬送に係る駆動を妨げる動作であるといえる。つまり、ここにおいて、「駆動を妨げる」状態とは、用紙の搬送や画像の形成が行われないようにする状態をいうものであって、駆動を停止させる状態のみを指すものではない。
【００３７】
なお、ステップＳ５及びＳ８において、制御部１５０は、画像形成部１１０に画像の形成を停止させることに代えて、それまで選択されていた収容部と異なる収容部（収容部１２１又は１３１）を選択し直し、画像の形成を停止させずに続行させるようにしてもよい。
【００３８】
［変形例］
上述した実施形態は、本発明の一例である。本発明は、上述した実施形態に限られず、例えば、以下の変形例によって実施されてもよい。また、本発明は、以下の変形例を適当に組み合わせた実施を妨げない。
【００３９】
（変形例１）
本発明は、画像形成手段を有しない構成によっても実施され得る。例えば、上述した実施形態でいえば、第１ユニット１００を有さず、第２ユニット２００及び第３ユニット３００によって構成される搬送装置（又は搬送システム）も、本発明の一実施形態に相当するものである。
また、本発明は、用紙に限らず、他の被搬送物に適用されてもよいものである。
【００４０】
（変形例２）
上述した第１ユニット１００、第２ユニット２００及び第３ユニット３００は、上述した画像形成システム１０と異なる組み合わせを構成してもよい。例えば、第１ユニット１００と第３ユニット３００の間に第２ユニット２００を設けなくてもよいし、第１ユニット１００と第３ユニット３００の間に第２ユニット２００を複数設けてもよい。前者の例にあっては、第１ユニット１００は、収容部１３１が取り外し可能であり、カバー３５０と重なる下面側の位置に開口部が設けられる構成を有する。また、後者の例にあっては、第２ユニット２００は、上面側にカバー３５０と同等のカバーが設けられると望ましい。
【００４１】
（変形例３）
本発明に係る第２の部品は、その開閉の態様が上述した実施形態の態様に限定される者ではない。例えば、カバー３５０は、支持部材３６０により上方への移動を制限されずに、取り外して外に出せるように変形されてもよく、また、蝶番のような部材によって支持部材３６０に取り付けられ、ある軸を中心に回転する態様で開閉するように変形されてもよい。あるいは、カバー３５０は、使用者が操作子を押下することにより、電動で開閉するように変形されてもよい。
【符号の説明】
【００４２】
１０…画像形成システム、１００…第１ユニット、２００…第２ユニット、３００…第３ユニット、１５０…制御部、２１０、３１０…収容部、２２０、３２０…供給ロール、２３０、２４０、３３０、３４０…搬送ロール、３５０…カバー、３５３…差込口、３５３ａ…反射部
【図１】
0005531530.tif 000002
【図２】
0005531530.tif 000003
【図３】
0005531530.tif 000004
【図４】
0005531530.tif 000005
【図５】
0005531530.tif 000006
【図６】
0005531530.tif 000007
【図７】
0005531530.tif 000008
【図８】
0005531530.tif 000009
【図９】
0005531530.tif 000010